(57)【特許請求の範囲】
【請求項１】
同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データを音声情報に対応させて表示する映像表示手段と、前記各編集映像群データを識別するジャンル識別コードと前記各ジャンル識別コードに対応する一のジャンル識別コードとから構成されるジャンル識別コード情報を記憶するジャンル識別コード情報記憶手段と、前記ジャンル識別コード情報記憶手段からジャンル識別コード情報を読み出すジャンル識別コード読出手段とを備えた映像再生装置において、
前記映像情報読出手段により映像情報記憶手段から一の編集映像データを読み出し、該編集映像データを映像表示手段により表示するとともに、前記ジャンル識別コード読出手段によりジャンル識別コード情報記憶手段のジャンル識別コード情報から前記編集映像データが属する編集映像群データのジャンル識別コードに対応する一のジャンル識別コードを読み出して、該一のジャンル識別コードに対応する編集映像群データの未表示の一の編集映像データをランダムに選択し、表示中の編集映像データが終了すると前記映像表示手段により該一の編集映像データを表示することを特徴とする映像再生装置。
【請求項２】
前記映像情報読出手段により読み出した編集映像データをカラオケ曲の演奏に対応させて表示する映像表示手段を備えたことを特徴とする請求項１記載の映像再生装置。
【請求項３】
前記ジャンル識別コード情報が前記各編集映像群データを識別するジャンル識別コードと前記各ジャンル識別コードに対応する複数のジャンル識別コードと該ジャンル識別コードの優先順位を表す優先順位データとから構成され、
前記映像情報読出手段により映像情報記憶手段から一の編集映像データを読み出し、該編集映像データを映像表示手段により表示するとともに、前記ジャンル識別コード読出手段によりジャンル識別コード情報記憶手段のジャンル識別コード情報から前記編集映像データが属する編集映像群データのジャンル識別コードに対応する複数のジャンル識別コードを読み出して、前記ジャンル識別コードに対応する編集映像群データのうち前記映像情報読出手段により読み出し可能な最も優先順位の高い編集映像群データの未表示の一の編集映像データをランダムに選択し、表示中の編集映像データが終了すると前記映像表示手段により該一の編集映像データを表示することを特徴とする請求項１又は請求項２記載の映像再生装置。
【請求項４】
前記ジャンル識別コード情報に基づいて次に表示する前記一の編集映像データを選択できない場合は、表示中の編集映像データの属する編集映像群データから未表示の一の編集映像データをランダムに選択し、表示中の編集映像データが終了すると該一の編集映像データを前記映像表示手段により表示することを特徴とする請求項１乃至請求項３のいずれかに記載の映像再生装置。
【請求項５】
前記ジャンル識別コード情報の不使用命令を入力する不使用入力手段を備え、
前記不使用入力手段により不使用命令が入力された場合は、表示中の編集映像データの属する編集映像群データから未表示の一の編集映像データをランダムに選択し、表示中の編集映像データが終了すると該一の編集映像データを前記映像表示手段により表示することを特徴とする請求項１乃至請求項４のいずれかに記載の映像再生装置。
【請求項６】
同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データを音声情報に対応させて表示する映像表示手段と、前記各編集映像データに付加された編集映像群データを識別するジャンル識別コードから構成される識別コード情報を編集映像データから取り出す識別コード情報読出手段とを備えた映像再生装置において、
前記映像情報読出手段により映像情報記憶手段から一の編集映像データを読み出し、該編集映像データを映像表示手段により表示するとともに、前記編集映像データに付加されている前記識別コード情報を前記識別コード情報読出手段により読み出して、該識別コード情報のジャンル識別コードに対応する編集映像群データの未表示の一の編集映像データをランダムに選択し、表示中の編集映像データが終了すると前記映像表示手段により該一の編集映像データを表示することを特徴とする映像再生装置。
【請求項７】
前記映像情報読出手段により読み出した編集映像データをカラオケ曲の演奏に対応させて表示する映像表示手段を備えたことを特徴とする請求項６記載の映像再生装置。
【請求項８】
前記各編集映像データに付加された前記識別コード情報が複数のジャンル識別コードと該ジャンル識別コードの優先順位を表す優先順位データとから構成され、
映像表示手段により表示している編集映像データの前記識別コード情報を前記識別コード情報読出手段により読み出して、前記識別コード情報の複数のジャンル識別コードに対応する編集映像群データのうち前記映像情報読出手段により読み出し可能な最も優先順位の高い編集映像群データの未表示の一の編集映像データをランダムに選択し、表示中の編集映像データが終了すると前記映像表示手段により該一の編集映像データを表示することを特徴とする請求項６又は請求項７記載の映像再生装置。
【請求項９】
前記識別コード情報に基づいて次に表示する前記一の編集映像データを選択できない場合は、表示中の編集映像データの属する編集映像群データから未表示の一の編集映像データをランダムに選択し、表示中の編集映像データが終了すると前記映像表示手段により該一の編集映像データを表示することを特徴とする請求項６乃至請求項８のいずれかに記載の映像再生装置。
【請求項１０】
前記識別コード情報の不使用命令を入力する不使用入力手段を備え、
前記不使用入力手段により不使用命令が入力された場合は、表示中の編集映像データの属する編集映像群データから未表示の一の編集映像データをランダムに選択し、表示中の編集映像データが終了すると該一の編集映像データを前記映像表示手段により表示することを特徴とする請求項６乃至請求項９のいずれかに記載の映像再生装置。
【発明の詳細な説明】
【０００１】
【発明の属する技術分野】
本発明は、例えばカラオケ曲情報の演奏に対応させて歌詞表示の背景に映像を再生表示する映像再生装置に関し、特に表示中の編集映像データの映像ジャンルに対応して、予め決められた映像ジャンルから次に表示する編集映像データをランダムに選択することにより、再生された映像データに全体としての統一性があるとともに、より多彩な表現を可能とし、また、曲の内容に適した背景映像を表示することが可能な映像再生装置に関するものである。
【０００２】
【従来の技術】
映像再生装置の一例としてカラオケ曲に対応させて歌詞表示の背景に映像を再生表示する映像再生装置を勘案した場合、従来のカラオケ装置では、映像データとカラオケ曲情報とを一曲毎に記憶したビデオディスク等を再生することによりカラオケ曲を出力してきた。このようなカラオケ装置に用いられるビデオディスク等に記憶されている映像データは、演奏データのイメージに合致するよう編集されており、一の曲に対しては一の映像が対応するものである。従って、一曲、一曲の演奏イメージに合致した背景画像が得られ、視覚的にも利用者を満足させることができた。
【０００３】
しかし、このようなカラオケ装置を業務用に用いる場合、利用者のリクエストニーズに応えるためには、装置１台当り数千曲ものカラオケ曲情報等が必要となり、一曲毎に別個のデータとして映像データ等を記憶しているビデオディスクを数多く用意する必要があった。これら多数枚のビデオディスクは、専用の収納ケースに収納され、オートチェンジャ等を用いてリクエストに応じたディスクが選択、再生されるものであるから、多くのディスクを収納する専用収納ケース及びオートチェンジャが占有する面積が大きくなり、特に業務用としてはコンパクト化が希求されていた。
【０００４】
そこで、カラオケ装置をコンパクト化するため一案として実現されているのが、カラオケ曲情報をカラオケ演奏装置に記憶させ、別に映像データを映像再生装置に記憶させておき、カラオケ曲情報再生時に、映像再生装置によりカラオケ曲に適した同じ映像ジャンルの映像データが多数編集された映像データ群の中からランダムに映像データを選択し、順次読み出して、カラオケ曲情報の演奏に対応させて歌詞表示の背景に映像を再生表示している。これにより、再生映像を変化させ、見かけ上の編集映像データを多くすることができ、一のカラオケ曲情報に対して一の編集映像データを記憶する必要が無くなり、映像再生装置をコンパクト化することが可能になっている。
【０００５】
【発明が解決しようとする課題】
しかしながら、前記従来の映像再生装置においては、ランダムに映像データを選択するので、曲の内容に適さない映像が選択されるという問題がある。また、再生された映像データに全体としての統一性が希薄となり、かえって利用者に違和感を抱かせるという問題がある。
【０００６】
そこで、本発明は、上述した問題点を解決するためになされたものであり、表示中の編集映像データの映像ジャンルに対応して、予め決められた映像ジャンルから次に表示する編集映像データをランダムに選択することにより、再生された映像データに全体としての統一性があるとともに、より多彩な表現を可能とし、また、曲の内容に適した背景映像を表示することが可能な映像再生装置を提供することを目的とする。
【０００７】
【課題を解決するための手段】
前記目的を達成するため請求項１に係る映像再生装置は、同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データを音声情報に対応させて表示する映像表示手段と、前記各編集映像群データを識別するジャンル識別コードと前記各ジャンル識別コードに対応する一のジャンル識別コードとから構成されるジャンル識別コード情報を記憶するジャンル識別コード情報記憶手段と、前記ジャンル識別コード情報記憶手段からジャンル識別コード情報を読み出すジャンル識別コード読出手段とを備えた映像再生装置において、前記映像情報読出手段により映像情報記憶手段から一の編集映像データを読み出し、該編集映像データを映像表示手段により表示するとともに、前記ジャンル識別コード読出手段によりジャンル識別コード情報記憶手段のジャンル識別コード情報から前記編集映像データが属する編集映像群データのジャンル識別コードに対応する一のジャンル識別コードを読み出して、該一のジャンル識別コードに対応する編集映像群データの未表示の一の編集映像データをランダムに選択し、表示中の編集映像データが終了すると前記映像表示手段により該一の編集映像データを表示することを特徴とする。
【０００８】
このような特徴を有する映像再生装置においては、各編集映像群データを識別するジャンル識別コードと前記各ジャンル識別コードに対応する一のジャンル識別コードとから構成されるジャンル識別コード情報が、予めジャンル識別コード情報記憶手段に記憶されている。よって、編集映像データを表示するとともに、前記ジャンル識別コード情報から該編集映像データの属する編集映像群データのジャンル識別コードに対応する一のジャンル識別コードを読み出し、該ジャンル識別コードに対応する編集映像群データに属する未表示の編集映像データから一の編集映像データをランダムに選び、前記編集映像データの表示終了後該一の編集映像データを音声情報に合わせて表示する。
これにより、再生された映像データに全体としての統一性があるとともに、より多彩な表現を可能とし、また、音声情報の内容に適した背景映像を表示することが可能になる。
【０００９】
また、請求項２に係る映像再生装置は、請求項１記載の映像再生装置において、前記映像情報読出手段により読み出した編集映像データをカラオケ曲の演奏に対応させて表示する映像表示手段を備えたことを特徴とする。
【００１０】
このような特徴を有する映像再生装置においては、請求項１記載の映像再生装置において、各編集映像群データを識別するジャンル識別コードと前記各ジャンル識別コードに対応する一のジャンル識別コードとから構成されるジャンル識別コード情報が、予めジャンル識別コード情報記憶手段に記憶されている。よって、編集映像データを表示するとともに、前記ジャンル識別コード情報から該編集映像データの属する編集映像群データのジャンル識別コードに対応する一のジャンル識別コードを読み出し、該ジャンル識別コードに対応する編集映像群データに属する未表示の編集映像データから一の編集映像データをランダムに選び、前記編集映像データの表示終了後該一の編集映像データをカラオケ曲の演奏に合わせて表示する。
これにより、再生された映像データに全体としての統一性があるとともに、より多彩な表現を可能とし、また、曲の内容に適した背景映像を表示することが可能になる。
【００１１】
また、請求項３に係る映像再生装置は、請求項１又は請求項２記載の映像再生装置において、前記ジャンル識別コード情報が前記各編集映像群データを識別するジャンル識別コードと前記各ジャンル識別コードに対応する複数のジャンル識別コードと該ジャンル識別コードの優先順位を表す優先順位データとから構成され、前記映像情報読出手段により映像情報記憶手段から一の編集映像データを読み出し、該編集映像データを映像表示手段により表示するとともに、前記ジャンル識別コード読出手段によりジャンル識別コード情報記憶手段のジャンル識別コード情報から前記編集映像データが属する編集映像群データのジャンル識別コードに対応する複数のジャンル識別コードを読み出して、前記ジャンル識別コードに対応する編集映像群データのうち前記映像情報読出手段により読み出し可能な最も優先順位の高い編集映像群データの未表示の一の編集映像データをランダムに選択し、表示中の編集映像データが終了すると前記映像表示手段により該一の編集映像データを表示することを特徴とする。
【００１２】
このような特徴を有する映像再生装置においては、請求項１又は請求項２記載の映像再生装置において、前記ジャンル識別コード情報が前記各編集映像群データを識別するジャンル識別コードと前記各ジャンル識別コードに対応する複数のジャンル識別コードと該ジャンル識別コードの優先順位を表す優先順位データとから構成されている。よって、編集映像データを表示するとともに、前記ジャンル識別コード情報から該編集映像データの属する編集映像群データのジャンル識別コードに対応する複数のジャンル識別コードを読み出し、前記ジャンル識別コードに対応する編集映像群データのうち前記映像情報読出手段により読み出し可能な最も優先順位の高い編集映像群データから未表示の一の編集映像データをランダムに選択し、表示中の編集映像データが終了すると前記映像表示手段により該一の編集映像データを表示する。
これにより、音声情報や曲の内容に最適な編集映像データを表示できない場合においても、次に最適に合致した映像ジャンルの編集映像データを表示することが可能になる。また、再生された編集映像データの全体としての統一性を保持することが可能となり、利用者に違和感を抱かせることが無く、視覚的効果を高めることが可能になる。
【００１３】
また、請求項４に係る映像再生装置は、請求項１乃至請求項３のいずれかに記載の映像再生装置において、前記ジャンル識別コード情報に基づいて次に表示する前記一の編集映像データを選択できない場合は、表示中の編集映像データの属する編集映像群データから未表示の一の編集映像データをランダムに選択し、表示中の編集映像データが終了すると該一の編集映像データを前記映像表示手段により表示することを特徴とする。
【００１４】
このような特徴を有する映像再生装置においては、請求項１乃至請求項３のいずれかに記載の映像再生装置において、前記ジャンル識別コード情報に基づいて、表示中の編集映像データの属する編集映像群データのジャンル識別コードに対応した次に表示するジャンル識別コードの各編集映像群データから未表示の一の編集映像データを選択できない場合は、表示中の編集映像データの属する編集映像群データから未表示の一の編集映像データをランダムに選択し、表示中の編集映像データが終了すると該一の編集映像データを表示する。
これにより、ジャンル識別コード情報に基づいて、次に表示する編集映像データを選択できない場合においても、音声情報や曲の内容に合った映像を表示することが可能になり、また、再生された編集映像データに全体としての統一性が有り、利用者に違和感を抱かせることが無く、視覚的効果を高めることが可能になる。
【００１５】
また、請求項５に係る映像再生装置は、請求項１乃至請求項４のいずれかに記載の映像再生装置において、前記ジャンル識別コード情報の不使用命令を入力する不使用入力手段を備え、前記不使用入力手段により不使用命令が入力された場合は、表示中の編集映像データの属する編集映像群データから未表示の一の編集映像データをランダムに選択し、表示中の編集映像データが終了すると該一の編集映像データを前記映像表示手段により表示することを特徴とする。
【００１６】
このような特徴を有する映像再生装置においては、請求項１乃至請求項４のいずれかに記載の映像再生装置において、前記不使用入力手段により前記ジャンル識別コード情報の不使用命令が入力された場合は、表示中の編集映像データの属する編集映像群データから未表示の一の編集映像データをランダムに選択し、表示中の編集映像データが終了すると該一の編集映像データを表示する。
これにより、ジャンル識別コード情報に基づかなくても、音声情報や曲の内容に合った映像を表示することが可能になり、また、再生された編集映像データに全体としての統一性が有り、利用者に違和感を抱かせることが無く、視覚的効果を高めることが可能になる。
【００１７】
また、請求項６に係る映像再生装置は、同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データを音声情報に対応させて表示する映像表示手段と、前記各編集映像データに付加された編集映像群データを識別するジャンル識別コードから構成される識別コード情報を編集映像データから取り出す識別コード情報読出手段とを備えた映像再生装置において、前記映像情報読出手段により映像情報記憶手段から一の編集映像データを読み出し、該編集映像データを映像表示手段により表示するとともに、前記編集映像データに付加されている前記識別コード情報を前記識別コード情報読出手段により読み出して、該識別コード情報のジャンル識別コードに対応する編集映像群データの未表示の一の編集映像データをランダムに選択し、表示中の編集映像データが終了すると前記映像表示手段により該一の編集映像データを表示することを特徴とする。
【００１８】
このような特徴を有する映像再生装置においては、各編集映像データに付加された該編集映像データ表示終了後に選択される編集映像データの属するジャンル識別コード等を識別コード情報読出手段により読み出し、該ジャンル識別コードに対応する編集映像群データに属する未表示の編集映像データから一の編集映像データをランダムに選び、音声情報に合わせて表示する。
これにより、再生された映像データに全体としての統一性があるとともに、より多彩な表現を可能とし、また、音声情報の内容に適した背景映像を表示することが可能になる。
【００１９】
また、請求項７に係る映像再生装置は、請求項６記載の映像再生装置において、同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データをカラオケ曲の演奏に対応させて表示する映像表示手段と、前記各編集映像データに付加された編集映像群データを識別するジャンル識別コードから構成される識別コード情報を編集映像データから取り出す識別コード情報読出手段とを備えた映像再生装置において、前記映像情報読出手段により映像情報記憶手段から一の編集映像データを読み出し、該編集映像データを映像表示手段により表示するとともに、前記編集映像データに付加されている前記識別コード情報を前記識別コード情報読出手段により読み出して、該識別コード情報のジャンル識別コードに対応する編集映像群データの未表示の一の編集映像データをランダムに選択し、表示中の編集映像データが終了すると前記映像表示手段により該一の編集映像データを表示することを特徴とする。
【００２０】
このような特徴を有する映像再生装置においては、請求項６記載の映像再生装置において、各編集映像データに付加された該編集映像データ表示終了後に選択される編集映像データの属するジャンル識別コード等を識別コード情報読出手段により読み出し、該ジャンル識別コードに対応する編集映像群データに属する未表示の編集映像データから一の編集映像データをランダムに選び、カラオケ曲情報の演奏に合わせて表示する。
これにより、再生された映像データに全体としての統一性があるとともに、より多彩な表現を可能とし、また、曲の内容に適した背景映像を表示することが可能になる。
【００２１】
また、請求項８に係る映像再生装置は、請求項６又は請求項７記載の映像再生装置において、前記各編集映像データに付加された前記識別コード情報が複数のジャンル識別コードと該ジャンル識別コードの優先順位を表す優先順位データとから構成され、映像表示手段により表示している編集映像データの前記識別コード情報を前記識別コード情報読出手段により読み出して、前記識別コード情報の複数のジャンル識別コードに対応する編集映像群データのうち前記映像情報読出手段により読み出し可能な最も優先順位の高い編集映像群データの未表示の一の編集映像データをランダムに選択し、表示中の編集映像データが終了すると前記映像表示手段により該一の編集映像データを表示することを特徴とする。
【００２２】
このような特徴を有する映像再生装置においては、請求項６又は請求項７記載の映像再生装置において、各編集映像データに付加された該編集映像データ表示終了後に選択される編集映像データの識別コード情報が、複数のジャンル識別コードと該ジャンル識別コードの優先順位を表す優先順位データとから構成され、前記複数のジャンル識別コードに対応する編集映像群データのうち前記映像情報読出手段により読み出し可能な最も優先順位の高い編集映像群データの未表示の編集映像データから一の編集映像データをランダムに選び、表示中の編集映像データが終了すると前記映像表示手段により該一の編集映像データを表示する。
これにより、音声情報や曲の内容に最適な編集映像データを表示できない場合においても、次に最適に合致した映像ジャンルの編集映像データを表示することが可能になる。また、再生された編集映像データの全体としての統一性を保持することが可能となり、利用者に違和感を抱かせることが無く、視覚的効果を高めることが可能になる。
【００２３】
また、請求項９に係る映像再生装置は、請求項６乃至請求項８のいずれかに記載の映像再生装置において、前記識別コード情報に基づいて次に表示する前記一の編集映像データを選択できない場合は、表示中の編集映像データの属する編集映像群データから未表示の一の編集映像データをランダムに選択し、表示中の編集映像データが終了すると前記映像表示手段により該一の編集映像データを表示することを特徴とする。
【００２４】
このような特徴を有する映像再生装置は、請求項６乃至請求項８のいずれかに記載の映像再生装置において、各編集映像データに付加された前記識別コード情報に基づいて、該編集映像データ表示終了後に次に表示するジャンル識別コードに対応する編集映像群データから未表示の一の編集映像データを選択できない場合は、表示中の編集映像データの属する編集映像群データから未表示の一の編集映像データをランダムに選択し、表示中の編集映像データが終了すると該一の編集映像データを表示する。
これにより、各編集映像データに付加された識別コード情報に基づいて次に表示する編集映像群データから未表示の編集映像データを選択できない場合においても、音声情報や曲の内容に合致した映像を表示することが可能になる。また、再生された編集映像データに全体としての統一性が有り、利用者に違和感を抱かせることが無く、視覚的効果を高めることが可能になる。
【００２５】
さらに、請求項１０に係る映像再生装置は、請求項６乃至請求項９のいずれかに記載の映像再生装置において、前記識別コード情報の不使用命令を入力する不使用入力手段を備え、前記不使用入力手段により不使用命令が入力された場合は、表示中の編集映像データの属する編集映像群データから未表示の一の編集映像データをランダムに選択し、表示中の編集映像データが終了すると該一の編集映像データを前記映像表示手段により表示することを特徴とする。
【００２６】
このような特徴を有する映像再生装置においては、請求項６乃至請求項９のいずれかに記載の映像再生装置において、前記不使用入力手段により前記識別コード情報の不使用命令が入力された場合は、表示中の編集映像データの属する編集映像群データから未表示の一の編集映像データをランダムに選択し、表示中の編集映像データが終了すると該一の編集映像データを表示する。
これにより、識別コード情報に基づかなくても、音声情報や曲の内容に合った映像を表示することが可能になり、また、再生された編集映像データに全体としての統一性が有り、利用者に違和感を抱かせることが無く、視覚的効果を高めることが可能になる。
【００２７】
【発明の実施の形態】
以下、本発明に係る映像再生装置について、本発明をカラオケ曲に対応して編集映像データを表示する映像再生装置につき具体化した第１及び第２の実施の形態に基づき図面を参照して詳細に説明する。先ず、第１実施形態に係る映像再生装置の構成を図１に基づいて説明する。図１は第１実施形態に係る映像再生装置のシステム構成を示すブロック図である。
図１において、映像再生装置１はカラオケ装置２と接続されている。また、映像再生装置１とカラオケ装置２との接続はRS-232Cケーブルや同軸ケーブル等により接続されている。
【００２８】
ここで、第１実施形態に係る映像再生装置１は、図１に示すように、映像再生装置１全体の各機器を制御するＣＰＵ３、処理情報を一時記憶するＲＡＭ４、処理プログラムを記憶するＲＯＭ５、背景画の映像データ等が格納されたＤＶＤ−ＲＯＭ６、ＤＶＤ−ＲＯＭ６の映像データ等を読み出すＤＶＤドライブ７、ＤＶＤドライブ７からのディジタル信号をディジタルデータに変換するデータ読取回路８、読み出した圧縮データを伸長化する圧縮データ復号化回路９、復号化されたディジタル映像データをアナログ映像信号に変調して出力する映像出力回路１０、カラオケ装置２と信号を送受信するためのシリアル入出力回路（以下、ＳＩＯという）１１、次再生ジャンル情報等を記憶するハードディスクドライブ（以下、ＨＤＤという）２４、及び、次再生ジャンル情報を利用しない指示命令等を入力する入力手段２５を有している。
【００２９】
また、第１実施形態に係るカラオケ装置２は、図１に示すように、カラオケ装置２全体の各機器を制御するＣＰＵ１２、映像再生装置１と信号を送受信するためのシリアル入出力回路（以下、ＳＩＯという）１３、処理情報を一時記憶するＲＡＭ１４、処理プログラムを記憶するＲＯＭ１５、ＭＩＤＩ（  Music Instrument Digital Interface  ）規格の曲データ等のカラオケ曲情報を記憶するためのハードディスクドライブ（以下、ＨＤＤという）１６、ＭＩＤＩ規格データを復調するＭＩＤＩ装置１７、演奏信号と音声信号を合成・増幅するアンプ１８、音声信号を取り込むマイク１９、スピーカ２０、ＭＩＤＩ装置１７からの歌詞データ等と前記アナログ映像信号を合成した映像データを作成してカラオケ曲の演奏に同期させて出力するビデオミキサ２１、前記映像データを表示するモニタ２２、及び、利用者がカラオケ予約情報等を入力するための入力手段２３を有している。
【００３０】
このように構成された第１実施形態の映像再生装置１とカラオケ装置２は、先ず、カラオケ装置２において入力手段２３によりカラオケ曲情報が選択され、ＣＰＵ１２は該カラオケ曲情報をＨＤＤ１６より読み出し、前記カラオケ曲情報から映像再生装置１が最初に選択する映像ジャンルを表す初期ジャンル識別コードを読み出し、ＳＩＯ１３を介して映像再生装置１に送信する。
次に、前記初期ジャンル識別コードをＳＩＯ１１を介して受信した映像再生装置１は、該初期ジャンル識別コードに基づき、ＲＯＭ５に格納されている映像再生処理プログラムに従って、ＤＶＤ−ＲＯＭ６に格納されている映像データを選択するとともに、各映像データに付加されている次再生ジャンル情報と前記初期ジャンル識別コードとに基づいて、次再生映像データを選択し、順次、ＤＶＤドライブ７により再生出力し、データ読取回路８及び圧縮データ復号化回路９を介してディジタル映像データを生成し、映像出力回路１０に出力する。
次に、映像出力回路１０は入力された前記ディジタル映像データをアナログ映像信号に変調してビデオミキサ２１に同軸ケーブル等を介して出力する。
次に、カラオケ装置２のビデオミキサ２１は、ＭＩＤＩ装置１７からの歌詞データ等と入力された前記アナログ映像信号を合成した映像データを作成してカラオケ曲の演奏に同期させてモニタ２２に出力する。これにより、カラオケ曲情報の演奏に対応させて歌詞表示の背景にＤＶＤ−ＲＯＭ６に格納されている映像データを再生表示できる。
【００３１】
次に、第１実施形態の前記映像再生処理プログラム、及び前記次再生ジャンル情報について図２乃至図４に基づき詳細に説明する。図２及び図３は、第１実施形態に係る映像再生処理プログラムのフローチャートである。図４は第１実施形態に係る次再生ジャンル情報が付加された映像データの一例である。
【００３２】
次に、図２及び図３に基づき第１実施形態に係る映像再生処理を説明する。先ず、カラオケ装置２は選択されたカラオケ曲情報をＨＤＤ１６から読み出すと、該カラオケ曲情報に付加されている初期ジャンル識別コードを演奏開始信号とともにＳＩＯ１３を介して映像再生装置１に送信する。
次に、映像再生装置１は、演奏開始信号が入力されるまで待機し（Ｓ１：ＮＯ）、ＳＩＯ１１を介して演奏開始信号を受信すると（Ｓ１：ＹＥＳ）、続けて、最初に選択する映像ジャンルを表す初期ジャンル識別コードを受信して、該初期ジャンル識別コードをＲＡＭ４に格納する（Ｓ２）。
【００３３】
次に、映像再生装置１はＲＡＭ４から前記初期ジャンル識別コードを読み出し、該初期ジャンル識別コードに対応する映像ジャンルに属する映像データがＤＶＤ−ＲＯＭ６に格納されているかどうか検索する（Ｓ３）。そして、該初期ジャンル識別コードに対応する映像ジャンルに属する映像データがＤＶＤ−ＲＯＭ６に格納されていない場合は（Ｓ３：ＮＯ）、映像再生処理を終了する（Ｓ１７）。
また、該初期ジャンル識別コードに対応する映像ジャンルに属する映像データがＤＶＤ−ＲＯＭ６に格納されている場合は（Ｓ３：ＹＥＳ）、該初期ジャンル識別コードに対応する映像ジャンルに属する映像データの中からランダムに一の映像データを選択して、該映像データをＤＶＤドライブ７により再生する（Ｓ４）。
【００３４】
次に、入力手段２５により各映像データに付加されている次再生ジャンル情報（図４参照）を利用しない指示命令が入力されていないかどうか判定する（Ｓ５）。
そして、次再生ジャンル情報を利用しない指示命令が入力されている場合は（Ｓ５：ＮＯ）、再度、ＲＡＭ４から前記初期ジャンル識別コードを読み出し、該初期ジャンル識別コードに対応する映像ジャンルに属する未再生の映像データの中から一の映像データを選択し（Ｓ１３）、該映像データをＤＶＤドライブ７により再生する（Ｓ１４）。
【００３５】
次に、入力手段２５により各映像データに付加されている次再生ジャンル情報を利用しない指示命令が入力されていない場合は（Ｓ５：ＹＥＳ）、前記一の映像データの次再生ジャンル情報を読み出し、ＨＤＤ２４に記憶する（Ｓ６）。
【００３６】
ここで、各映像データに付加されている次再生ジャンル情報の構成について説明する。次再生ジャンル情報は、優先順位が付けられた３個のジャンル識別コードから構成されている。図４に示される映像データの構成例３０に基づき詳細に説明する。
図４において、映像データの構成例３０は、映像データ３４に３個の優先順位が付けられた次再生ジャンル識別コード３１、３２、３３が付加されている。次再生ジャンル識別コード３１は「１−Ａ１」というデータであり、「優先順位は１番、次に選択する映像データが属する映像ジャンルのジャンル識別コードはＡ１」を表している。また、次再生ジャンル識別コード３２は「２−Ｂ１」というデータであり、「優先順位は２番、次に選択する映像データが属する映像ジャンルのジャンル識別コードはＢ１」を表している。さらに、次再生ジャンル識別コード３３は「３−Ａ２」というデータであり、「優先順位は３番、次に選択する映像データが属する映像ジャンルのジャンル識別コードはＡ２」を表している。
【００３７】
次に、再度、ＨＤＤ２４から前記次再生ジャンル情報を読み出し、該次再生ジャンル情報の優先順位が１番の次再生ジャンル識別コードからジャンル識別コードを読み出し、前記ジャンル識別コードに対応する映像ジャンルに属する未再生の映像データの中からランダムに一の映像データを選択する（Ｓ７）。該当する映像データが選択できれば（Ｓ８：ＹＥＳ）、該映像データをＤＶＤドライブ７により再生する（Ｓ１４）。
【００３８】
次に、前記優先順位が１番の映像ジャンルに該当する映像データが無い場合は（Ｓ８：ＮＯ）、再度、ＨＤＤ２４から前記次再生ジャンル情報を読み出し、該次再生ジャンル情報の優先順位が２番の次再生ジャンル識別コードからジャンル識別コードを読み出し、前記ジャンル識別コードに対応する映像ジャンルに属する未再生の映像データの中からランダムに一の映像データを選択する（Ｓ９）。該当する映像データが選択できれば（Ｓ１０：ＹＥＳ）、該映像データをＤＶＤドライブ７により再生する（Ｓ１４）。
【００３９】
次に、前記優先順位が２番の映像ジャンルに該当する映像データが無い場合は（Ｓ１０：ＮＯ）、再度、ＨＤＤ２４から前記次再生ジャンル情報を読み出し、該次再生ジャンル情報の優先順位が３番の次再生ジャンル識別コードからジャンル識別コードを読み出し、前記ジャンル識別コードに対応する映像ジャンルに属する未再生の映像データの中からランダムに一の映像データを選択する（Ｓ１１）。該当する映像データが選択できれば（Ｓ１２：ＹＥＳ）、該映像データをＤＶＤドライブ７により再生する（Ｓ１４）。
【００４０】
次に、前記優先順位が３番の映像ジャンルに該当する映像データが無い場合は（Ｓ１２：ＮＯ）、再度、ＲＡＭ４から前記初期ジャンル識別コードを読み出し、該初期ジャンル識別コードに対応する映像ジャンルに属する未再生の映像データの中から一の映像データを選択し（Ｓ１３）、該映像データをＤＶＤドライブ７により再生する（Ｓ１４）。
【００４１】
次に、カラオケ装置２から各ＳＩＯ１１、１３を介して演奏終了信号が入力されていないかどうか判定し（Ｓ１５）、演奏終了信号が入力されていれば（Ｓ１５：ＹＥＳ）、映像再生処理を終了する（Ｓ１７）。
また、演奏終了信号が入力されていなければ（Ｓ１５：ＮＯ）、前記映像データの再生を続行し（Ｓ１６：ＮＯ）、該映像データの再生が終了すれば（Ｓ１６：ＹＥＳ）、再度、入力手段２５により各映像データに付加されている次再生ジャンル情報を利用しない指示命令が入力されていないかどうか判定し（Ｓ５）、映像再生処理を続行する。
【００４２】
以上詳細に説明した通り、第１実施形態に係る映像再生装置１では、予め、カラオケ曲情報に初期ジャンル識別コードが付加され、また、各映像データには、優先順位が付けられたジャンル識別コードからなる次再生ジャンル情報が付加されている。そして、カラオケ装置２から前記初期ジャンル識別コードが演奏開始信号とともに映像再生装置１に送信され、前記映像再生装置１は該初期ジャンル識別コードに基づき、初期映像データを選択するとともに、次再生ジャンル情報を利用しない指示命令が入力されていなければ、該次再生ジャンル情報に基づいて、再生可能な最も優先順位の高い映像ジャンルから未再生の映像データをランダムに選択し、該映像データの再生処理を行う。
したがって、次再生ジャンル情報に基づいて、曲の内容に合致した映像を表示することが可能になるとともに、再生された複数の映像データに全体としての統一性があるとともに、より多彩な表現を可能とし、利用者に違和感を抱かせることが無く、視覚的効果を高めることが可能になる。
また、次再生ジャンル情報に基づいて曲の内容に最適な映像データを選択できない場合においても、次再生ジャンル情報に基づいて次に最適に合致した映像ジャンルの映像データを選択して表示することが可能になる。
また、各映像データに付加された次再生ジャンル情報に基づいて次に表示する映像データを選択できない場合においても、前記初期ジャンル識別コードに対応する映像ジャンルから映像データを選択することにより、曲の内容に合致した映像を表示することが可能になるとともに、再生された複数の映像データに全体としての統一性が有り、利用者に違和感を抱かせることが無く、視覚的効果を高めることが可能になる。
さらに、入力手段２５により次再生ジャンル情報を利用しない指示命令が入力された場合においても、前記初期ジャンル識別コードに対応する映像ジャンルから映像データを選択することにより、曲の内容に合致した映像を表示することが可能になるとともに、再生された複数の映像データに全体としての統一性が有り、利用者に違和感を抱かせることが無く、視覚的効果を高めることが可能になる。
【００４３】
次に、第２実施形態に係る映像再生装置について詳細に説明する。第２実施形態に係る映像再生装置の構成は第１実施形態の映像再生装置の構成とほぼ同じ構成である（図１参照）。
【００４４】
このように構成された第２実施形態の映像再生装置１とカラオケ装置２は、先ず、カラオケ装置２において入力手段２３によりカラオケ曲情報が選択され、ＣＰＵ１２は該カラオケ曲情報をＨＤＤ１６より読み出し、前記カラオケ曲情報から映像再生装置１が最初に選択する映像ジャンルを表す初期ジャンル識別コードを読み出し、ＳＩＯ１３を介して映像再生装置１に送信する。
次に、前記初期ジャンル識別コードをＳＩＯ１１を介して受信した映像再生装置１は、該初期ジャンル識別コードに基づき、ＲＯＭ５に格納されている映像再生処理プログラムに従って、ＤＶＤ−ＲＯＭ６に格納されている映像データを選択するとともに、予めＨＤＤ２４に記憶されている次再生ジャンルデータテーブルを読み出し、該次再生ジャンルデータテーブルと前記初期ジャンル識別コードとに基づいて、次再生映像データを選択し、順次、ＤＶＤドライブ７により再生出力し、データ読取回路８及び圧縮データ復号化回路９を介してディジタル映像データを生成し、映像出力回路１０に出力する。
次に、映像出力回路１０は入力された前記ディジタル映像データをアナログ映像信号に変調してビデオミキサ２１に同軸ケーブル等を介して出力する。
次に、カラオケ装置２のビデオミキサ２１は、ＭＩＤＩ装置１７からの歌詞データ等と入力された前記アナログ映像信号を合成した映像データを作成してカラオケ曲の演奏に同期させてモニタ２２に出力する。これにより、カラオケ曲情報の演奏に対応させて歌詞表示の背景にＤＶＤ−ＲＯＭ６に格納されている映像データを再生表示できる。
【００４５】
次に、第２実施形態の前記映像再生処理プログラム、及び前記次再生ジャンルデータテーブルについて図５乃至図７に基づき詳細に説明する。図５及び図６は、第２実施形態に係る映像再生処理プログラムのフローチャートである。図７は第２実施形態に係る次再生ジャンルデータテーブルの一例である。
【００４６】
次に、図５及び図６に基づき第２実施形態に係る映像再生処理を説明する。先ず、カラオケ装置２は選択されたカラオケ曲情報をＨＤＤ１６から読み出すと、該カラオケ曲情報に付加されている初期ジャンル識別コードを演奏開始信号とともにＳＩＯ１３を介して映像再生装置１に送信する。
次に、映像再生装置１は、演奏開始信号が入力されるまで待機し（Ｓ２１：ＮＯ）、ＳＩＯ１１を介して演奏開始信号を受信すると（Ｓ２１：ＹＥＳ）、続けて、最初に選択する映像ジャンルを表す初期ジャンル識別コードを受信して、該初期ジャンル識別コードをＲＡＭ４に格納する（Ｓ２２）。
【００４７】
次に、映像再生装置１はＲＡＭ４から前記初期ジャンル識別コードを読み出し、該初期ジャンル識別コードに対応する映像ジャンルに属する映像データがＤＶＤ−ＲＯＭ６に格納されているかどうか検索する（Ｓ２３）。そして、該初期ジャンル識別コードに対応する映像ジャンルに属する映像データがＤＶＤ−ＲＯＭ６に格納されていない場合は（Ｓ２３：ＮＯ）、映像再生処理を終了する（Ｓ３７）。
また、該初期ジャンル識別コードに対応する映像ジャンルに属する映像データがＤＶＤ−ＲＯＭ６に格納されている場合は（Ｓ２３：ＹＥＳ）、該初期ジャンル識別コードに対応する映像ジャンルに属する映像データの中からランダムに一の映像データを選択して、該映像データをＤＶＤドライブ７により再生する（Ｓ２４）。
【００４８】
次に、入力手段２５により、予めＨＤＤ２４に記憶されている次再生ジャンルデータテーブル４０（図７参照）を利用しない指示命令が入力されていないかどうか判定する（Ｓ２５）。
そして、次再生ジャンルデータテーブル４０を利用しない指示命令が入力されている場合は（Ｓ２５：ＮＯ）、再度、ＲＡＭ４から前記初期ジャンル識別コードを読み出し、該初期ジャンル識別コードに対応する映像ジャンルに属する未再生の映像データの中から一の映像データを選択し（Ｓ３３）、該映像データをＤＶＤドライブ７により再生する（Ｓ３４）。
【００４９】
次に、入力手段２５により前記次再生ジャンルデータテーブル４０を利用しない指示命令が入力されていない場合は（Ｓ２５：ＹＥＳ）、次再生ジャンルテーブル４０をＨＤＤ２４から読み込み、ＲＡＭ４に格納する（Ｓ２６）。
【００５０】
ここで、予めＨＤＤ２４に記憶されている次再生ジャンルデータテーブル４０の構成について、図７に示される次再生ジャンルデータテーブル４０に基づき詳細に説明する。
図７において、次再生ジャンルデータテーブル４０は、再生中の映像データが属する映像ジャンルを表す「再生中映像ジャンル」のジャンル識別コードと、前記再生中映像ジャンルに対応して、次に再生する優先順位が１番の映像データの属する映像ジャンルを表す「優先順位１番の次再生映像ジャンル」のジャンル識別コード、次に再生する優先順位が２番の映像データの属する映像ジャンルを表す「優先順位２番の次再生映像ジャンル」のジャンル識別コード、及び、次に再生する優先順位が３番の映像データの属する映像ジャンルを表す「優先順位３番の次再生映像ジャンル」のジャンル識別コードとから構成されている。
【００５１】
よって、再生中の映像データの属する映像ジャンルのジャンル識別コードが「Ａ１」であれば、次に再生する優先順位が１番の映像データの属する映像ジャンルのジャンル識別コードは「Ａ３」であり、また、次に再生する優先順位が２番の映像データの属する映像ジャンルのジャンル識別コードは「Ａ４」であり、また、次に再生する優先順位が３番の映像データの属する映像ジャンルのジャンル識別コードは「Ａ１」である。
また、再生中の映像データの属する映像ジャンルのジャンル識別コードが「Ａ２」であれば、次に再生する優先順位が１番の映像データの属する映像ジャンルのジャンル識別コードは「Ａ１」であり、また、次に再生する優先順位が２番の映像データの属する映像ジャンルのジャンル識別コードは「Ａ６」であり、また、次に再生する優先順位が３番の映像データの属する映像ジャンルのジャンル識別コードは「Ａ５」である。
また、再生中の映像データの属する映像ジャンルのジャンル識別コードが「Ａ３」であれば、次に再生する優先順位が１番の映像データの属する映像ジャンルのジャンル識別コードは「Ａ２」であり、また、次に再生する優先順位が２番の映像データの属する映像ジャンルのジャンル識別コードは「Ａ７」であり、また、次に再生する優先順位が３番の映像データの属する映像ジャンルのジャンル識別コードは「Ａ９」である。
また、再生中の映像データの属する映像ジャンルのジャンル識別コードが「Ｂ１」であれば、次に再生する優先順位が１番の映像データの属する映像ジャンルのジャンル識別コードは「Ｂ５」であり、また、次に再生する優先順位が２番の映像データの属する映像ジャンルのジャンル識別コードは「Ｂ８」であり、また、次に再生する優先順位が３番の映像データの属する映像ジャンルのジャンル識別コードは「Ｂ２」である。
また、再生中の映像データの属する映像ジャンルのジャンル識別コードが「Ｂ２」であれば、次に再生する優先順位が１番の映像データの属する映像ジャンルのジャンル識別コードは「Ｂ４」であり、また、次に再生する優先順位が２番の映像データの属する映像ジャンルのジャンル識別コードは「Ｂ１」であり、また、次に再生する優先順位が３番の映像データの属する映像ジャンルのジャンル識別コードは「Ｂ９」である。
さらに、再生中の映像データの属する映像ジャンルのジャンル識別コードが「Ｂ３」であれば、次に再生する優先順位が１番の映像データの属する映像ジャンルのジャンル識別コードは「Ｂ１」であり、また、次に再生する優先順位が２番の映像データの属する映像ジャンルのジャンル識別コードは「Ｂ７」であり、また、次に再生する優先順位が３番の映像データの属する映像ジャンルのジャンル識別コードは「Ｂ３」である。
【００５２】
次に、図５において、再生中の映像データの属する映像ジャンルのジャンル識別コードに基づき、ＲＡＭ４に記憶されている次再生ジャンルデータテーブル４０から「優先順位１番の次再生映像ジャンル」対応するジャンル識別コードを読み出し、前記ジャンル識別コードに対応する映像ジャンルに属する未再生の映像データの中からランダムに一の映像データを選択する（Ｓ２７）。該当する映像データが選択できれば（Ｓ２８：ＹＥＳ）、該映像データをＤＶＤドライブ７により再生する（Ｓ３４）。
【００５３】
次に、前記優先順位が１番の映像ジャンルに該当する映像データが無い場合は（Ｓ２８：ＮＯ）、再度、再生中の映像データの属する映像ジャンルのジャンル識別コードに基づき、ＲＡＭ４に記憶されている次再生ジャンルデータテーブル４０から「優先順位２番の次再生映像ジャンル」対応するジャンル識別コードを読み出し、前記ジャンル識別コードに対応する映像ジャンルに属する未再生の映像データの中からランダムに一の映像データを選択する（Ｓ２９）。該当する映像データが選択できれば（Ｓ３０：ＹＥＳ）、該映像データをＤＶＤドライブ７により再生する（Ｓ３４）。
【００５４】
次に、前記優先順位が２番の映像ジャンルに該当する映像データが無い場合は（Ｓ３０：ＮＯ）、再度、再生中の映像データの属する映像ジャンルのジャンル識別コードに基づき、ＲＡＭ４に記憶されている次再生ジャンルデータテーブル４０から「優先順位３番の次再生映像ジャンル」対応するジャンル識別コードを読み出し、前記ジャンル識別コードに対応する映像ジャンルに属する未再生の映像データの中からランダムに一の映像データを選択する（Ｓ３１）。該当する映像データが選択できれば（Ｓ３２：ＹＥＳ）、該映像データをＤＶＤドライブ７により再生する（Ｓ３４）。
【００５５】
次に、前記優先順位が３番の映像ジャンルに該当する映像データが無い場合は（Ｓ３２：ＮＯ）、再度、ＲＡＭ４から前記初期ジャンル識別コードを読み出し、該初期ジャンル識別コードに対応する映像ジャンルに属する未再生の映像データの中から一の映像データを選択し（Ｓ３３）、該映像データをＤＶＤドライブ７により再生する（Ｓ３４）。
【００５６】
次に、カラオケ装置２から各ＳＩＯ１１、１３を介して演奏終了信号が入力されていないかどうか判定し（Ｓ３５）、演奏終了信号が入力されていれば（Ｓ３５：ＹＥＳ）、映像再生処理を終了する（Ｓ３７）。
また、演奏終了信号が入力されていなければ（Ｓ３５：ＮＯ）、前記映像データの再生を続行し（Ｓ３６：ＮＯ）、該映像データの再生が終了すれば（Ｓ３６：ＹＥＳ）、再度、入力手段２５により次再生ジャンルデータテーブル４０を利用しない指示命令が入力されていないかどうか判定し（Ｓ２５）、映像再生処理を続行する。
【００５７】
以上詳細に説明した通り、第２実施形態に係る映像再生装置１では、予め、カラオケ曲情報に初期ジャンル識別コードが付加され、また、ＨＤＤ２４には、再生中の映像データが属する映像ジャンルを表す「再生中映像ジャンル」のジャンル識別コードと、前記再生中映像ジャンルに対応して、次に再生する優先順位が１番の映像データの属する映像ジャンルを表す「優先順位１番の次再生映像ジャンル」のジャンル識別コード、次に再生する優先順位が２番の映像データの属する映像ジャンルを表す「優先順位２番の次再生映像ジャンル」のジャンル識別コード、及び、次に再生する優先順位が３番の映像データの属する映像ジャンルを表す「優先順位３番の次再生映像ジャンル」のジャンル識別コードとから構成された次再生ジャンルデータテーブル４０が記憶されている。そして、カラオケ装置２から前記初期ジャンル識別コードが演奏開始信号とともに映像再生装置１に送信され、前記映像再生装置１は該初期ジャンル識別コードに基づき、初期映像データを選択するとともに、次再生ジャンルデータテーブル４０を利用しない指示命令が入力されていなければ、該次再生ジャンルデータテーブル４０に基づいて、再生可能な最も優先順位の高い映像ジャンルから未再生の映像データをランダムに選択し、該映像データの再生処理を行う。
したがって、次再生ジャンルデータテーブル４０に基づいて、曲の内容に合致した映像を表示することが可能になるとともに、再生された複数の映像データに全体としての統一性があるとともに、より多彩な表現を可能とし、利用者に違和感を抱かせることが無く、視覚的効果を高めることが可能になる。
また、次再生ジャンルデータテーブル４０に基づいて曲の内容に最適な映像データを選択できない場合においても、次再生ジャンルデータテーブル４０に基づいて次に最適に合致した映像ジャンルの映像データを選択して表示することが可能になる。
また、次再生ジャンルデータテーブル４０に基づいて次に表示する映像データを選択できない場合においても、前記初期ジャンル識別コードに対応する映像ジャンルから映像データを選択することにより、曲の内容に合致した映像を表示することが可能になるとともに、再生された複数の映像データに全体としての統一性が有り、利用者に違和感を抱かせることが無く、視覚的効果を高めることが可能になる。
さらに、入力手段２５により次再生ジャンルデータテーブル４０を利用しない指示命令が入力された場合においても、前記初期ジャンル識別コードに対応する映像ジャンルから映像データを選択することにより、曲の内容に合致した映像を表示することが可能になるとともに、再生された複数の映像データに全体としての統一性が有り、利用者に違和感を抱かせることが無く、視覚的効果を高めることが可能になる。
【００５８】
尚、本発明は前記実施形態に限定されるものではなく、本発明の要旨を逸脱しない範囲内で種々の改良、変形が可能であることは勿論であり、以下のようにしてもよい。
（ａ）前記実施形態では、次再生ジャンル情報は、優先順位が付けられた３個の次再生ジャンル識別コード３１、３２、３３から構成されているが、任意の個数の優先順位付き次再生ジャンル識別コードで構成されるようにしてもよい。
（ｂ）前期実施形態では、次再生ジャンルデータテーブル４０は、再生中映像ジャンルを表すジャンル識別コードと３種類の優先順位が付加された次再生映像ジャンルのジャンル識別コードとから構成されているが、再生中映像ジャンルを表すジャンル識別コードと任意の種類の優先順位が付加された次再生映像ジャンルのジャンル識別コードとから構成されるようにしてもよい。
（ｃ）前期実施形態では、ジャンル識別コードを２桁の英数字で表していたが、もっと多くの桁数の英数字で表して、映像ジャンルをもっと細分化してもよい。
（ｄ）前記実施形態では、映像データの格納装置としてＤＶＤ−ＲＯＭ６を用いているが、ＣＤ−ＲＯＭ、ＨＤＤ、若しくはＭＯ（光磁気ディスク）等を用いてもよい。
（ｅ）前記実施形態では、次再生ジャンル情報を各映像データ再生後に該映像データの次再生ジャンル情報を読み出しているが、予め、全映像データの次再生ジャンル情報を読み出して、各映像データを識別する映像識別コードと該次再生ジャンル情報とから構成されるデータテーブルを作成して、ＨＤＤ２４に格納しておき、各映像データ再生後に前記データテーブルから該映像データに対応する次再生ジャンル情報を読み出すようにしてもよい。
【００５９】
【発明の効果】
以上説明した通り請求項１に係る映像再生装置においては、各編集映像群データを識別するジャンル識別コードと前記各ジャンル識別コードに対応する一のジャンル識別コードとから構成されるジャンル識別コード情報が、予めジャンル識別コード情報記憶手段に記憶されている。よって、編集映像データを表示するとともに、前記ジャンル識別コード情報から該編集映像データの属する編集映像群データのジャンル識別コードに対応する一のジャンル識別コードを読み出し、該ジャンル識別コードに対応する編集映像群データに属する未表示の編集映像データから一の編集映像データをランダムに選び、前記編集映像データの表示終了後該一の編集映像データを音声情報に合わせて表示する。
これにより、再生された映像データに全体としての統一性があるとともに、より多彩な表現を可能であり、音声情報の内容に適した背景映像を表示することが可能な映像再生装置を提供することができる。
【００６０】
また、請求項２に係る映像再生装置においては、請求項１記載の映像再生装置において、各編集映像群データを識別するジャンル識別コードと前記各ジャンル識別コードに対応する一のジャンル識別コードとから構成されるジャンル識別コード情報が、予めジャンル識別コード情報記憶手段に記憶されている。よって、編集映像データを表示するとともに、前記ジャンル識別コード情報から該編集映像データの属する編集映像群データのジャンル識別コードに対応する一のジャンル識別コードを読み出し、該ジャンル識別コードに対応する編集映像群データに属する未表示の編集映像データから一の編集映像データをランダムに選び、前記編集映像データの表示終了後該一の編集映像データをカラオケ曲の演奏に合わせて表示する。
これにより、再生された映像データに全体としての統一性があるとともに、より多彩な表現を可能であり、曲の内容に適した背景映像を表示することが可能な映像再生装置を提供することができる。
【００６１】
また、請求項３に係る映像再生装置においては、請求項１又は請求項２記載の映像再生装置において、前記ジャンル識別コード情報が前記各編集映像群データを識別するジャンル識別コードと前記各ジャンル識別コードに対応する複数のジャンル識別コードと該ジャンル識別コードの優先順位を表す優先順位データとから構成されている。よって、編集映像データを表示するとともに、前記ジャンル識別コード情報から該編集映像データの属する編集映像群データのジャンル識別コードに対応する複数のジャンル識別コードを読み出し、前記ジャンル識別コードに対応する編集映像群データのうち前記映像情報読出手段により読み出し可能な最も優先順位の高い編集映像群データから未表示の一の編集映像データをランダムに選択し、表示中の編集映像データが終了すると前記映像表示手段により該一の編集映像データを表示する。
これにより、音声情報や曲の内容に最適な編集映像データを表示できない場合においても、次に最適に合致した映像ジャンルの編集映像データを表示することが可能な映像再生装置を提供することができる。また、再生された編集映像データの全体としての統一性を保持することが可能となり、利用者に違和感を抱かせることが無く、視覚的効果を高めることが可能な映像再生装置を提供することができる。
【００６２】
また、請求項４に係る映像再生装置においては、請求項１乃至請求項３のいずれかに記載の映像再生装置において、前記ジャンル識別コード情報に基づいて、表示中の編集映像データの属する編集映像群データのジャンル識別コードに対応した次に表示するジャンル識別コードの各編集映像群データから未表示の一の編集映像データを選択できない場合は、表示中の編集映像データの属する編集映像群データから未表示の一の編集映像データをランダムに選択し、表示中の編集映像データが終了すると該一の編集映像データを表示する。
これにより、ジャンル識別コード情報に基づいて、次に表示する編集映像データを選択できない場合においても、音声情報や曲の内容に合った映像を表示することが可能になるとともに、再生された編集映像データに全体としての統一性が有り、利用者に違和感を抱かせることが無く、視覚的効果を高めることが可能な映像再生装置を提供することができる。
【００６３】
また、請求項５に係る映像再生装置においては、請求項１乃至請求項４のいずれかに記載の映像再生装置において、前記不使用入力手段により前記ジャンル識別コード情報の不使用命令が入力された場合は、表示中の編集映像データの属する編集映像群データから未表示の一の編集映像データをランダムに選択し、表示中の編集映像データが終了すると該一の編集映像データを表示する。
これにより、ジャンル識別コード情報に基づかなくても、音声情報や曲の内容に合った映像を表示することが可能になるとともに、再生された編集映像データに全体としての統一性が有り、利用者に違和感を抱かせることが無く、視覚的効果を高めることが可能な映像再生装置を提供することができる。
【００６４】
また、請求項６に係る映像再生装置においては、各編集映像データに付加された該編集映像データ表示終了後に選択される編集映像データの属するジャンル識別コード等を識別コード情報読出手段により読み出し、該ジャンル識別コードに対応する編集映像群データに属する未表示の編集映像データから一の編集映像データをランダムに選び、音声情報に合わせて表示する。
これにより、再生された映像データに全体としての統一性があるとともに、より多彩な表現を可能とし、また、音声情報の内容に適した背景映像を表示することが可能な映像再生装置を提供することができる。
【００６５】
また、請求項７に係る映像再生装置においては、請求項６記載の映像再生装置において、各編集映像データに付加された該編集映像データ表示終了後に選択される編集映像データの属するジャンル識別コード等を識別コード情報読出手段により読み出し、該ジャンル識別コードに対応する編集映像群データに属する未表示の編集映像データから一の編集映像データをランダムに選び、カラオケ曲情報の演奏に合わせて表示する。
これにより、再生された映像データに全体としての統一性があるとともに、より多彩な表現を可能とし、また、曲の内容に適した背景映像を表示することが可能な映像再生装置を提供することができる。
【００６６】
また、請求項８に係る映像再生装置においては、請求項６又は請求項７記載の映像再生装置において、各編集映像データに付加された該編集映像データ表示終了後に選択される編集映像データの識別コード情報が、複数のジャンル識別コードと該ジャンル識別コードの優先順位を表す優先順位データとから構成され、前記複数のジャンル識別コードに対応する編集映像群データのうち前記映像情報読出手段により読み出し可能な最も優先順位の高い編集映像群データの未表示の編集映像データから一の編集映像データをランダムに選び、表示中の編集映像データが終了すると前記映像表示手段により該一の編集映像データを表示する。
これにより、音声情報や曲の内容に最適な編集映像データを表示できない場合においても、次に最適に合致した映像ジャンルの編集映像データを表示することが可能な映像再生装置を提供することができる。また、再生された編集映像データの全体としての統一性を保持することが可能となり、利用者に違和感を抱かせることが無く、視覚的効果を高めることが可能な映像再生装置を提供することができる。
【００６７】
また、請求項９に係る映像再生装置においては、請求項６乃至請求項８のいずれかに記載の映像再生装置において、各編集映像データに付加された前記識別コード情報に基づいて、該編集映像データ表示終了後に次に表示するジャンル識別コードに対応する編集映像群データから未表示の一の編集映像データを選択できない場合は、表示中の編集映像データの属する編集映像群データから未表示の一の編集映像データをランダムに選択し、表示中の編集映像データが終了すると該一の編集映像データを表示する。
これにより、各編集映像データに付加された識別コード情報に基づいて次に表示する編集映像群データから未表示の編集映像データを選択できない場合においても、音声情報や曲の内容に合致した映像を表示することが可能な映像再生装置を提供することができる。また、再生された編集映像データに全体としての統一性が有り、利用者に違和感を抱かせることが無く、視覚的効果を高めることが可能な映像再生装置を提供することができる。
【００６８】
さらに、請求項１０に係る映像再生装置においては、請求項６乃至請求項９のいずれかに記載の映像再生装置において、前記不使用入力手段により前記識別コード情報の不使用命令が入力された場合は、表示中の編集映像データの属する編集映像群データから未表示の一の編集映像データをランダムに選択し、表示中の編集映像データが終了すると該一の編集映像データを表示する。
これにより、識別コード情報に基づかなくても、音声情報や曲の内容に合った映像を表示することが可能になるとともに、再生された編集映像データに全体としての統一性が有り、利用者に違和感を抱かせることが無く、視覚的効果を高めることが可能な映像再生装置を提供することができる。
【図面の簡単な説明】
【図１】第１実施形態に係る映像再生装置のシステム構成を示すブロック図である。
【図２】第１実施形態に係る映像再生処理プログラムのフローチャートである。
【図３】第１実施形態に係る映像再生処理プログラムのフローチャートである。
【図４】第１実施形態に係る次再生ジャンル情報が付加された映像データの一例である。
【図５】第２実施形態に係る映像再生処理プログラムのフローチャートである。
【図６】第２実施形態に係る映像再生処理プログラムのフローチャートである。
【図７】第２実施形態に係る次再生ジャンルデータテーブルの一例である。
【符号の説明】
１          映像再生装置
２          カラオケ装置
３、１２    ＣＰＵ
４、１４    ＲＡＭ
５、１５    ＲＯＭ
６          ＤＶＤ−ＲＯＭ
７          ＤＶＤドライブ
１０        映像出力回路
２１        ビデオミキサ
２２        モニタ
【図１】
0003924346.tif 000002
【図２】
0003924346.tif 000003
【図３】
0003924346.tif 000004
【図４】
0003924346.tif 000005
【図５】
0003924346.tif 000006
【図６】
0003924346.tif 000007
【図７】
0003924346.tif 000008